(57)【要約】  芳香物質の鼻腔後吸収のための飲用装置は、飲用液体用の貯蔵容器（１２）と、空気が流れることができる少なくとも１つのアロマ容器（２０）と、前記貯蔵装置（１２）から当該飲用装置（１０）の口端（２８）まで流れる飲料液用の輸送チャネル（１８）と、前記少なくとも１つのアロマ容器（２０）の少なくとも１つから、飲料液用の輸送チャネル（１８）又は口端（２８）まで流れる、芳香化空気を輸送するための空気チャネル（２２）と、を包含する。
2020527522.tif 000002
【特許請求の範囲】
【請求項１】
芳香物質の鼻腔後吸収のための飲用装置であって、
飲用液体用の貯蔵容器（１２）と、
空気が流れることができる少なくとも１つのアロマ容器（２０）と、
前記貯蔵装置（１２）から当該飲用装置（１０）の口端（２８）まで流れる飲料液用の輸送チャネル（１８）と、
前記少なくとも１つのアロマ容器（２０）の少なくとも１つから、飲料液用の輸送チャネル（１８）又は口端（２８）まで流れる、芳香化空気輸送用の空気チャネル（２２）と、
を包含する飲用装置。
【請求項２】
請求項１に記載の飲用装置であって、
前記口端（２８）は、飲料液用の前記輸送チャネル（１８）と、前記口端（２８）での芳香化空気輸送用の前記空気チャネル（２２）は、互いに別々に、本質的に同じ長さで走るように設計されていることを特徴とする飲用装置。
【請求項３】
請求項１に記載の飲用装置であって、
前記口端（２８）は、当該飲用装置（１０）が使用されるとき、飲料液用の前記輸送チャネル（１８）と芳香化空気輸送用の前記空気チャネル（２２）とが、ユーザの口の中に異なる距離を延びるように設計されていることを特徴とする飲用装置。
【請求項４】
好ましくは口端（２８）を包含するマウスピース（１６）内に、絞り装置及び／又は密封装置をさらに包含する請求項１〜３のいずれか一項に記載の飲用装置であって、ここで、前記マウスピースは、密封位置から非密封位置に移動可能である、飲用装置。
【請求項５】
ヘッド部分（１４）が分割可能であることを特徴とする、請求項１〜４のいずれか一項に記載の飲用装置。
【請求項６】
前記少なくとも１つの、好ましくは取り外し可能なアロマ容器（２０）の１つは、前記密封装置を包含し、ここで、前記アロマ容器（２０）は、密封位置から非密封位置に移動可能であることを特徴とする特徴とする請求項４又は５に記載の飲用装置。
【請求項７】
前記少なくとも１つの芳香容器（２０）の少なくとも１つが、異なる臭気強度及び／又は異なるアロマの芳香物質を含む複数のチャンバ（２０ａ、２０ｂ、．．．）を包含することを特徴とする、請求項１〜６のいずれか一項に記載の飲用装置。
【請求項８】
請求項１〜７のいずれか一項に記載の飲用装置であって、前記少なくとも１つのアロマ容器（２０）の１つは、当該飲用装置（１０）のマウスピース（１６）に配置され、ここで、前記マウスピース（１６）は好ましくは交換可能であることを特徴とする飲用装置。
【請求項９】
飲料液用の貯蔵容器（１２）の内部に通じる空気供給ライン（３２）を閉じる圧力補償弁（３４、３８）をさらに包含する、請求項１〜８のいずれか一項に記載の飲用装置。
【請求項１０】
前記口端（２８）を包含し、且つ前記貯蔵容器（１２）に対して移動可能に配置された当該飲用装置（１０）のヘッド部分（１４）をさらに包含する、請求項１〜９のいずれか一項に記載の飲用装置であって、前記ヘッド部分（１４）は、飲料液用の前記輸送チャネル（１８）及び／又は芳香化空気輸送用の前記空気チャネル（２２）を密封する位置から非密封位置に移動可能である、飲用装置。
【請求項１１】
請求項１〜１０のいずれか一項に記載の飲用装置であって、前記少なくとも１つのアロマ容器（２０）は、フィルター物質と、ユーザが作動させることができ、芳香物質を含む流体を含むアロマユニットとを包含し、ここで、前記アロマユニットが作動すると、前記流体は前記フィルター物質に放出可能であることを特徴とする飲用装置。
【請求項１２】
請求項１〜１１のいずれか一項に記載の飲用装置であって、前記空気チャネル（２２）が、当該飲用装置（１０）の取り外し可能なヘッド部分（１４）と飲料液用の前記輸送チャネル（１８）との間に好ましくはリング状の、チャンバ（８７）を包含することを特徴とする、飲用装置。
【請求項１３】
請求項１〜１２のいずれか一項に記載の飲用装置であって、前記空気チャネル（２２）の最小断面積が０．２ｍｍ２〜４．９ｍｍ２であることを特徴とする、飲用装置。
【請求項１４】
前記空気チャネルに、好ましくは飲料液用の前記輸送チャネル（１８）の前記空気チャネルの開口部に、透過性膜をさらに包含する、請求項１〜１２のいずれか一項に記載の飲用装置。
【発明の詳細な説明】
【技術分野】
【０００１】
発明の分野
本発明は、アロマ物質の鼻後方吸収のための飲用装置に関する。
【背景技術】
【０００２】
技術水準
一方では心地よい風味傾向がするが、他方では、飲用液体に溶解したアロマ物質又は安定剤の吸収によって引き起こされる可能性のある健康上のリスクを回避すべき飲用液体を摂取する必要性が高まっている。さらに、増加したカロリー量の摂取を避ける必要がある。
【０００３】
そのため、近年ではフルーツの香りが弱い水が人気を集めています。ただし、このフレーバー水には、安定化物質や一定量の砂糖などの望ましくない添加物も含まれているため、これらのフレーバー飲料にも多くのユーザが拒否するカロリー量も含まれている。
【０００４】
問題を解決するための第１のステップは、飲み物を飲む直前に風味を加えることである。ＵＳ２００８／０２８３５３Ａ１、ＵＳ２０１５／０３０７２６Ａ１、及び米国特許第８，６６２，２９０４号は、もともと別々に提供されていたアロマ物質が、飲料の消費直前又は消費中に飲用液体に追加され、溶解される投与システムの例である。この方法により、長期間にわたる飲料液の安定化などの問題を回避できるが、添加物の望ましくない吸収の問題は残る。
【０００５】
嗅覚は、食べ物や飲み物を消費する際の味覚の重要な部分を構成するため、今までのシステムは、以前のシステムは、飲む際に知覚される匂いに影響を与えようとする。この目的のために、米国特許第５，６３５，２２９号では、飲用開口部近くの飲用容器に取り付けることができ、飲用中に鼻から息を吸って香りを吸収する使用者の鼻に香り要素が近接するようにできるアロマ要素が提案されている。
【０００６】
米国特許第８，６６２，３３９Ｂ２号による飲用容器も、飲んでいる間にアロマが鼻から吸い込まれるというこの原理に従って機能する。
【発明の概要】
【発明が解決しようとする課題】
【０００７】
発明の開示
本発明は、ユーザの味覚体験の改善を可能にする飲用装置を提案する課題に基づいている。
【課題を解決するための手段】
【０００８】
この課題は、請求項１の特徴を備えた飲用装置により達成される。好ましい実施形態は、残りの請求項及び以下の説明から得られる。
【０００９】
芳香物質の鼻腔後吸収のための飲用装置は、飲用液体用の貯蔵容器(Vorratsbehaelter、リザーバ)と、空気が流れることができる少なくとも１つのアロマ容器と、前記貯蔵装置から当該飲用装置の口端まで流れる飲料液用の輸送チャネルと、前記少なくとも１つのアロマ容器の少なくとも１つから、飲料液用の輸送チャネル又は口端まで流れる、芳香化空気を輸送するための空気チャネルと、を包含する。
【００１０】
本発明による飲用装置の実質的な態様は、アロマ物質が鼻腔後方に(retronasal)吸収されることにある。アロマ物質は、飲用液体と一緒に飲むとユーザの口に入り、その後、アロマ物質は咽頭を介して嗅覚粘膜（嗅部）まで上昇し、そこにある受容体によって検出され、ユーザが知覚する。本発明による装置は、冷たい又は暖かい飲料液に等しく適している。
【００１１】
この場合、嗅覚と味覚の間には密接な関係があるという事実を利用している。嗅覚と味覚の間に密接な関係があるという事実を利用しています。したがって、ユーザは、彼が実際には鼻腔後方に香りを嗅ぐだけであるにもかかわらず、その香りを味わっているという印象を受ける。
【００１２】
人の味覚は、本質的に後鼻腔の嗅覚によって形作られる。舌の受容体は、甘味、酸味、苦味、塩味、旨味(umami)のみを区別できる。他方、差別化された味覚は、喉の食物と液体の気相が鼻腔経路を介して上昇し、嗅粘膜に到達するという事実から生じる。そこにあるセンサは、脳に味覚印象を与える神経刺激を引き起こす。飲んでいる最中に喉にアロマを与えられた人は、飲み物が風味付けされているという印象を与えられる。なぜなら、ユーザが純粋な、つまり風味のないピュアな液体、例えば水、を消費したとしても、後鼻臭が、飲み物が香りの源であるかのように脳に感覚を作り出すからである。息と共に鼻から臭いを吸い込む、いわゆるアロマ物質の前鼻腔性(orthonasalen)吸収では、この印象は同じ程度には生じない。なぜなら、感覚的印象は呼吸数にリンクしているためであり、且つこのように、ユーザは、単に芳香物質の臭いがするという正しい印象を得るが、後鼻腔の吸収のような味はしないためである。
【００１３】
好ましくは詰め替え可能な貯蔵容器は、その場合、純水又は炭酸水を収容することができるのに対して、アロマ物質は輸送チャンネル内の空気に移動し、飲用液体の芳香物質は、摂取直前にユーザによって供給されるか、又は芳香物質はユーザの咽腔に別々に輸送される。
【００１４】
あるいは、飲料液はそれ自身の味を有することもできる。飲用液体の既存の固有の味は、アロマ容器からのアロマ物質によって増強されるか、又は1つ又は複数の追加の味成分によって補われる。例えば、貯蔵容器にリンゴジュースが入っている場合、例えば、味覚体験を強化させるためにリンゴの香りを追加したり、味の混合物を生成するためにオレンジの香りを追加したりできる。このようにして、例えば、ビールなどのアルコール飲料にも追加の芳香物質を提供することができ、本発明による飲用装置の適切な芳香容器を使用することにより、ユーザの特別な好みに応えることができる。加えて、本明細書に開示されている飲用装置において、食品部門で非標準の風味の傾向、例えば部屋の香りから知られている「ビャクダン」又は「春の牧草地」又は「ユニコーン」など、も使用できる。使用されるアロマは、人工のものでも天然のものでもかまわない。人工又は天然の供給源から単離又は濃縮されたアロマを、天然物質、例えば、レモンピール、タンポポの葉、カンゾウ又は他の芳香物質から作られた、例えば新鮮な製品又は加工製品など、と同様に使用できる。
【００１５】
本発明によれば、いくつかのアロマ容器も提供することができる。これは、使用中のアロマ容器が使い果たされるとすぐに使用できる交換用のアロマ容器である。しかしながら、代替又は追加として、同時に使用される複数のアロマ容器を使用して、異なる基本アロマから任意のアロマ混合物を生成することも可能である。
【００１６】
本発明によれば、飲料液用の輸送チャネルは、口端まで延びている。一方、空気チャネルが口端のすぐ近くにある液体を飲むための輸送チャネルに開いているか、又は口端への飲料液用の輸送チャネルとは別に走る。
【００１７】
空気チャネルが口端のすぐ近くにある液体を飲むための輸送チャネルに開くという、解決策の利点は、誤用されないことである。飲料液が摂取されると、芳香物質が自動的に一緒に摂取される。ただし、この解決策の欠点は、飲料液に気泡があることである。したがって、飲むことは、液体と空気の両方が吸引されるストローから飲むことに匹敵する騒音の増加に関連している。さらに、ユーザは、水などの純粋な液体を飲むという望ましい印象をもはや持たない。最後に、芳香物質が空気から周囲の飲用液体に移動する長期間にわたって、飲用液体と風味付けされた空気との接触が存在するというさらなる欠点がある。したがって、芳香物質の無害性に関係なく、飲用液はユーザの知覚において「汚染」される。したがって、液体を口端まで運ぶために、空気チャネルが輸送チャネルとは別に走るこれらの解決策が好ましい。
【００１８】
本発明の好ましい一実施形態によれば、口端部は、飲料液用の輸送チャネル及び口端での風味づけされた空気の輸送のための空気チャネルは、互いに別々に、本質的に縦方向に同じくらい遠くに走るように設計されている。「縦方向（Laengsrichtung）」とは、飲料液用の輸送チャネル及び口端で風味付けされた空気を輸送するための空気チャネルの縦方向の範囲の方向として理解されるべきである。換言すれば、飲むとき、飲用液体の輸送チャネル及び空気チャネルは、本質的に等しくユーザの口まで遠くに延びている。
【００１９】
この技術的解決策では、風味付けされた空気と飲用液体は、飲用装置とは別に吸引される。風味付けされた空気は、最初に周囲の飲料液から気泡の形で逃げる必要はないが、口に入った直後に咽頭を介して嗅粘膜まで鼻腔から上昇する可能性がある。風味付けされた空気と飲用液体を口腔に別々に供給する別の利点は、空気と飲用液体との間のさらに低い物質移動が起こる可能性があることにある。これには2つの理由がある。第１の理由は、風味付けされた空気は小さな泡の形で飲料液に含まれていないため、液相と気相の間の物質移動に使用できる総表面積はかなり小さくなることにある。第２の理由は、風味付けされた空気はすでに別の相にあり、事前の分離は必要ないため、ユーザが飲み込む液体と一緒に飲み込む風味の空気の量が大幅に少なくなり、実際には無視できる量であることにある。最後に、この技術的な解決策は、ユーザは清澄な飲料液を飲んでいると感じているが、わずかな量であっても、ガスと混合されたガスは飲んでいないと感じるという利点がある。
【００２０】
本発明による解決策の１変形例は、飲用装置を使用する場合、飲用液体用の輸送チャネルと風味付けされた空気を輸送するための空気チャネルとは、ユーザの口の中で異なる程度まで延びていることである。
【００２１】
その場合２つの異なるオプションが当然、考えらる。一方で、芳香化された空気を輸送するための空気チャネルは、飲用液体を輸送するためのチャネルよりもさらにユーザの口の中まで延びていてもよいか、さもなければ飲用液体用の輸送チャネルは、ユーザの口までさらに延びている。両方のソリューションには、風味のある空気と飲料液がデバイスとは別に吸い込まれるという共通点がある。両方のバリエーションには、風味付けされた空気と飲料液との間の物質交換が可能な限り低く保たれるという共通点もある。しかし、この利点は、飲料液用の輸送チャネルと風味付けされた空気を輸送するための空気チャネルが、使用者の口の中に等しく広がっている場合、同じ方法で達成できる。ただし、この利点は両方とも、意図したとおりに使用するとユーザの口に突き出るように設計できる。ユーザは口の中に深く入りすぎると不快に感じる。
【００２２】
上記のすべてのソリューションの技術的課題は、飲用液体の輸送チャネルと空気チャネルの形状を一致させ、飲用位置に応じて、並びに特別な飲用液体及び飲用液体の粘度にもよるが、風味付けされた空気と飲用液体が互いに望ましい比率で吸い込まれることである。
【００２３】
本発明の好ましい実施形態によれば、飲用装置は、飲用液体用の輸送チャネル及び/又は芳香化空気の輸送用の空気チャネル用の絞り装置及び/又は密閉装置をさらに包含する。ここで、前記密閉装置は、好ましくは、口端を含むマウスピースに設けられ、且つマウスピースは、密封位置から非密封位置に移動可能である。
【００２４】
密封装置の代替として、好ましくは、密封装置に加えてスロットル装置を設けることができる。スロットル装置は、飲用液体と風味付けされた空気との比率を設定することを可能にし、その結果、例えば、芳香化の程度又は飲用液体の流量を設定することができる。完全に密閉されるまで作動できるスロットル装置の簡単な実施形態は、圧搾装置(Quetschvorrichtung)であり、これを用いて、輸送チャネル又は空気チャネルの柔軟な部分を縮小するか、その内部断面に対して完全に切り離すことができる。
【００２５】
密封装置の好ましい代替実施形態は、好ましくはマウスピースに配置され、且つフローを開くためにユーザによって引き出される、プルコックの（Zughahns）提供である。飲んだ後、空気チャネルと輸送チャネルを閉じるために、プルコックをマウスピースに向かって押し戻す。
【００２６】
本発明による飲用装置の別の好ましい代替物は、回転することによりユーザによって開閉される回転プラグを包含する。回転プラグの使用は、化学工学ではよく知られている。回転プラグはシンプルだが非常にしっかりと適合する部品だからである。さらに、回転プラグは、スロットル装置と遮断装置(Absperrvorrichtung)の機能を組み合わせるように連続的に調整することもできる。
【００２７】
本発明による装置の別の好ましい代替物は、好ましい変形によると、飲用装置の蓋に設けられ、同時にマウスピースを含むことができるスライドバルブを包含する。このようなスライドバルブの利点は、バルブが開いた状態か閉じた状態かがすぐにわかることである。
【００２８】
装置の好ましい代替実施形態は、装着又はねじ止めされており、且つそれにより飲用装置を密閉する回転蓋を設けることである。回転式の蓋は、飲料液が炭酸飲料の場合に発生する可能性のある、貯蔵容器内の圧力が上昇した場合でも、飲用装置をしっかりと密閉するのに適している。そのような蓋は、飲料液用の輸送チャネルと風味付き空気用の空気チャネルの両方を密閉することができるが、同様に、圧力均等化の目的で貯蔵容器の内部に空気を供給するさらなる空気ラインも密閉する。回転蓋のもう１つの利点は、マウスピースを汚れから保護すること、及びすべてのユーザに知られている要素であること、及び飲用装置をしっかりと閉めるための適合性が信頼できることである。
【００２９】
装置の好ましい代替実施形態は、例えば、サイクリングの際に携帯用ボトルを携帯することは知られているように、スポーツバルブの提供である。したがって、スポーツバルブの機能は知られており、ユーザは直感的にバルブを引いて飲んで、飲んだ後に元の位置に押し戻す。
【００３０】
しかしながら、飲用装置のマウスピースも遮断装置（それにより、マウスピースの方向に走るすべての輸送経路をしっかりと密閉できる）である実施形態が特に好ましい。その場合、本発明の好ましい変形例によるマウスピースは、並進運動によって密閉位置から非密閉位置に移動できるように設計されている。その場合、マウスピースは、飲料液用の輸送チャネルと空気チャネルの両方だけでなく、貯蔵容器の内部への空気の流入用の空気ラインも密閉及び開放できるように設計することができる。したがって、ユーザはマウスピースを操作位置に持っていくだけでよく、その結果、ユーザが気付かないうちに密閉装置が作動する。このようにして、コンポーネントの数を低く抑えることができ、これにより、とりわけ、より衛生的な設計が可能になり、且つ飲料システムの製造と組み立てのコスト削減も可能になる。
【００３１】
本発明の好ましい実施形態によれば、少なくとも１つのアロマ容器は取り外し可能であり、且つ単純な移動シーケンスの助けを借りて、本発明による飲用装置で使用することができる。その場合、好ましい変形例によれば、バヨネットマウント(Bajonettverschluss)を使用することができる。バヨネットマウントには、挿入後に飲用装置内のアロマ容器の正しい向きが確保されるという利点がある。さらに好ましい変形例によれば、さらに、アロマ容器が適切に挿入されないとすぐに、アロマ容器がその受容空間(Aufnahme)から出ることを可能にするバネ要素を設けることができる。さまざまなスナップイン位置の助けを借りて、さらに、アロマの強さをさまざまな設定から選択できる。
【００３２】
好ましくは、少なくとも１つのアロマ容器のうちの１つは、密封装置を備えている。ここで、アロマ容器は、密封位置から非密封位置まで移動可能である。実質的に円形の断面を備えたアロマ容器は、飲用液体の輸送チャネルをアロマ容器を通るチャネルと整列させるために、アロマ容器がその対称軸の周りを回転するという点で、上記の回転プラグと同じ方法で使用できる。このソリューションの利点は、追加のコンポーネントが必要ないことである。
【００３３】
しかしながら、代替的に、同様に、アロマ容器を軸方向にスライドさせることにより、アロマ容器を密閉位置から非密閉位置に移動させることが可能である。例えば、任意のプリズム形又はリング形の形状のアロマ容器を軸方向に押して、アロマ容器を非密閉位置にすることができる。アロマ容器はこの位置にロックできる、つまり、自動的にこの位置に留まる。又は、アロマ容器が押されている場合にのみ、アロマ供給下で飲むことが可能である。このようにして、さらに、ユーザは風味のある空気の有無にかかわらず飲料液を選択できる。
【００３４】
本発明の好ましい実施形態によれば、少なくとも１つのアロマ容器の少なくとも１つは、異なる臭気強度及び／又は異なる臭気品質の芳香物質を含む複数のチャンバを包含することができる。本発明による飲用装置のさらなる代替形態によれば、多くのアロマ容器を意図することができる。本発明による飲用装置のさらなる代替形態によれば、複数のアロマ容器を提供することができる。言い換えれば、１つ以上のアロマ容器を提供することができ、且つこのアロマ容器又は任意の数の複数のアロマ容器は、いくつかのチャンバをさらに含むことができる。このようにして、あらゆるバリエーションを実現できる。単一のアロマ容器が提供される場合、これには異なるアロマが含まれている可能性があるため、挿入方向に応じて、あるいはユーザが飲用中に変更できるアロマ容器の向きに応じて、異なるフレーバーが追加される。さらに、単一のアロマ容器が提供される場合、アロマの種類だけでなくアロマ強度も変えることができる。例えば、１つのアロマ容器には、１つの同じ芳香物質の2つ、3つ、又はそれ以上の異なるアロマ強度を含めることができる。あるいは、単一のアロマコンテナには2つの異なるアロマが含まれ、これらはそれぞれ2つの異なる段階で提供されるため、アロマ容器には4つの別々のチャンバがある。
【００３５】
複数のアロマ容器が用意されている場合、ユーザが個別に組み合わせることができるアロマブレンドは、異なるアロマの傾向、アロマの強さを変えるか、同じアロマの傾向を追加することで生成できる。
【００３６】
本発明の好ましい一実施形態によれば、少なくとも１つのアロマ容器のうちの１つは、飲用装置のマウスピースに配置されている。ここで、マウスピースは交換可能であることが好ましい。この解決策には、マウスピースがアロマ容器に置き換えられ、アロマ容器が使い果たされた後に新しいマウスピースが飲用装置に取り付けられるため、飲用装置の衛生状態が改善されるという利点がある。ただし、この解決策では、マウスピースと飲料液用の貯蔵容器との間の密閉を確保する必要があることを考慮する必要がある。
【００３７】
マウスピース又は貯蔵容器の蓋に組み込まれたアロマ容器の提供には、ユーザが「風味の傾向(Geschmacksrichtung)」をすぐに認識できるという利点がある。例えば、マウスピースは、選択されたアロマに従って着色することができ、例えば、レモンのアロマの場合は黄色、青リンゴのアロマの場合は緑色がある。
【００３８】
本発明の好ましい一実施形態によれば、飲料液用の蓋付きの貯蔵容器が用意されている。蓋が取り外されている場合、ユーザは飲料液用の充填開口部と、1つ又は複数のアロマ容器の受け入れ開口部の両方にアクセスできる。ふたをつけた後、引き続きふたの回転を使用して、アロマの傾向を変えることができる。また、この解決策の利点は、蓋が装着された後、アロマ容器が挿入状態に自動的に固定されるため、本発明による飲用装置内のアロマ容器の別個のロックが必要ないことである。このソリューションにより、アロマ容器の密閉も容易になる。
【００３９】
好ましい一変形例によれば、アロマ容器には、蓋をした後、飲用容器から外側に突き出て、使用するアロマの傾向をユーザに知らせる警告タブが用意されている。タブを簡単に握って、アロマ容器を取り外すことができる。
【００４０】
本発明の代替の好ましい一実施形態によれば、アロマ容器は、飲用装置の口端近くに位置するリングとして設計されている。リングに単一のチャンバが存在する場合がある。リング状のアロマ容器において、好ましくはユーザのための追加のマーキング及び／又は着色によって特徴付けられる、異なる風味の傾向を備えたいくつかのチャンバを提供することができる。このようにして、ユーザはアロマリングを作動させることで直感的にアロマを変更できる。これは飲んでいる間にも行える。したがって、リングの形のアロマ容器の使用は、ユーザフレンドリーな方法で使用できる多くのオプションを提供する。
【００４１】
本発明の好ましい一実施形態によれば、本発明による飲用装置は、飲料液用の貯蔵容器の内部に通じる空気供給ラインを閉じる圧力補償バルブとしてプルバルブをさらに包含する。飲用、つまり飲料液の除去、により貯蔵容器内に負圧が生じた場合、バルブが開き、飲料液用の貯蔵容器に空気が入る。圧力均等化が確立されるとすぐに、圧力バルブは内部電圧により自動的に閉じ、飲料液が漏れないようにする。この変形例は、遮断装置が飲料液用の輸送チャネルと芳香化空気輸送用の空気チャネルのみを閉じ、圧力均等化用の空気チャネルを閉じない場合に特に有利である。このタイプの例示的な一変形例は、密閉位置から動作位置に旋回できるマウスピースの提供である。一方、圧力均等化用の空気ラインは容器の異なる場所にある。
【００４２】
本発明のさらなる好ましい一実施形態によれば、飲用装置は、口端を含み、且つ貯蔵容器に対して移動可能に配置されたヘッド部をさらに含む。ここで、ヘッド部は、飲用液体用輸送チャネル及び/又は空気チャネルを密封する位置から非密封位置で移動可能である。
【００４３】
最も単純な場合、飲用装置のヘッド部分は、飲用液体の貯蔵容器に回転可能に取り付けることができる。その場合、ヘッド部分の形状は、ヘッド部分が回転するとき、ヘッド部分が飲用位置にもたらされるときに傾くように、貯蔵容器に対して選択することができる。そのため、一方では人間工学的に快適な飲用姿勢がユーザに可能であり、他方では、飲用装置がすぐに使用できる状態にあり、不適切に取り扱われた場合にも飲用液が漏れることがあることがユーザに明らかになる。このようにして、飲用装置は、新しく革新的な飲料装置への要求を強調する、未来的な形式言語(Formensprache)で設計できる。
【００４４】
本発明による飲用装置は、多くの異なる方法で設計することができる。その場合、魔法瓶のように単層又は二重壁のモバイル飲料ボトルにすることができる。ただし、同じように、コップに匹敵する開放型の飲料容器も提供できる。ただし、飲用時に飲用液体とアロマの両方が喉に流れ込むように、正しい飲用姿勢を維持するように注意する必要がある。この技術的解決策では、アロマ容器は、飲用液体の貯蔵容器を取り囲み、且つ、そこからアロマが液体を飲むための輸送チャネルに計量されるか、飲用カップの容器の縁で別々に走る空気チャネルでユーザに供給される、リングであり得る。
【００４５】
あるいは、飲用カップの上部を閉じて、いわゆるショットグラスとして使用することもできる。このバリアントは、スピリッツ、リキュール、カフェイン含有又はカフェインを含まない飲料などの飲料液の味を特定のアロマ物質で変更したり、既存の味を強化したり、望ましくない感覚を隠したりするために使用できる。
【００４６】
さらなる代替設計は、発明による飲用装置の機能的特徴を、口の端を含み、且つ口の端と反対側の端が液体を飲むための容器にある、ストローに組み込むことである。この場合、ストローは、同時に、貯蔵容器から飲用装置の口端まで走る飲用装置の輸送チャネルでもある。アロマ容器はストローを取り囲むリングの形で提供でき、且つその場合、飲料液レベルより上にあるため、ストローが使用されると、空気がアロマ容器に吸い込まれ、飲料液の輸送チャネルと平行に走る空気チャネルを介して口端に導かれるか、又は液体を飲むための輸送チャネルに流入するため、供給されたアロマは気泡の形で飲用液体に計量される。
【００４７】
上記のアイデア及び変形例はすべて、アロマ物質が口端からユーザの口とのどの領域に移動し、アロマ物質の鼻腔吸収によって味の印象が得られるという共通点を持っている。純粋な飲料液中の芳香物質のわずかな避けられない吸収、又は飲料液からのアロマ物質による気泡の不完全な分離は別として、純粋な飲料液はユーザに摂取される。
【００４８】
飲用装置を最適化又は単純化するための本発明の好ましい一実施形態は、飲用装置のヘッド部分を分割、分解、又は開けることができることを意図する。その際、ヘッド部分は、デバイスを使用するためにまとめる必要がある、1つ、2つ、又はそれ以上の部分で構成できる。その際例えば、ヘッド部分の本質的に軸対称の分割が可能である。そのため、飲用装置のチャネルは、組み立てられていない位置で完全に又は部分的に露出する。これにはいくつかの利点がある。まず第一に、これは飲用装置の洗浄を容易にする。なぜなら、装置の部分的に狭いチャネルは洗浄液によって容易に到達でき、洗浄液は毛細管力によって保持されないからである。加えて、飲用装置のヘッド部分の分割可能な解決策により、飲用装置のアロマリザーバをヘッド部分の内部に統合することができる。従来のシステムでは、アロマリザーバは外側からしか取り付けることができなかったため、使用中は表示されたままになる。以前のシステムでは、アロマリザーバ用に別個の固定機構も必要であったが、これは分割可能なソリューションで不要になる。
【００４９】
ヘッド部分は、飲用装置の必須技術及び/又はアロマリザーバが配置されている、飲用装置のその部分として理解されるべきである。それは、飲用装置のヘッド部分に便宜的に取り付けられているが、飲用装置の別の場所に配置することも、飲用装置に組み込むこともできる。
【００５０】
飲用装置の分割可能又は分割不可能なヘッド部分又はヘッド部分の一部を製造するための、シリコーン(Silikon)又は他のエラストマーなどの本質的に弾性のある材料を使用することにより、システムの単純化された密閉が可能になる。加えて、ヘッド部分の使用された分割可能性により、飲用装置の液体用の貯蔵容器とヘッド部分の接続可能性の数が増加する。
【００５１】
本発明の別の好ましい実施形態は、チャネルが特別な形状を有することである。その場合、例えば、一方では、液体のチャネルが1つ、2つ又はそれ以上の点で拡大又はテーパ状になっている、つまりチャネルの直径が他の点よりも大きい又は小さい可能性がある。テーパ又は拡張は、例えば飲用装置のマウスピースの中又は上で行うことができる。これにより、飲用装置から飲んだときのユーザの口当たりを変えることができる。消費者は気泡と一緒に液体を飲むことに慣れていないため、以前のソリューションではドリンク感が問題であった。液体搬送チャネルの1つ又は複数のポイントで拡張又はテーパを付けることにより、圧力条件が変化し、液体内の気泡のサイズや形状が変化する。これにより、ユーザのドリンク感が向上する。
【００５２】
本発明の別の好ましい一実施形態は、飲用装置の空気チャネルが開口する点での液体チャネルの形状の変化である。これにはいくつかの利点がある。例えば、ベンチュリ効果は、空気チャネルの入口で液体チャネルをテーパ状にすることにより使用できる。エントリポイントのテーパにより、動力学的圧（動圧）は最大になり、静圧は最小になる。液体の量は変化しないため、液体の速度は、くびれた部分を流れるときに断面積の比率で増加する。同時に、最も狭い箇所に設置することが望ましい空気チャネル内の圧力が低下する。これにより、飲用装置の液体中の芳香化空気の吸収を高める圧力差が生じる。その結果、ユーザは飲用装置をあまり強く吸わなくてよくなり、それにより例えば、ドリンク感が改善され、建設的な利点が得られる。
【００５３】
飲用装置内のチャネルの形状における別の好ましい変化は、チャネル内部の異なる表面、又は液体搬送チャネル内の流れ状態を変化させる障害物を包含する。とりわけ、キャビテーションが発生する可能性がある。気泡のサイズ及び／又は気泡形状の変更は、キャビテーション又は気泡の機械的粉砕によって達成できる。これにより、ユーザのドリンク感も向上する。気泡のサイズの変化は、例えば、本質的にふるいのような形状又は膜を使用することにより達成することもできる。
【００５４】
同様に、飲用装置の空気チャネルも特殊な形状にすることができる。以前のソリューションでは、全体を通して同じ形状のチャネルを使用する。その際、空気チャネルは、直径が小さくなければならないため、飲用装置のヘッド部分の製造で問題が発生する。他方、狭いチャネルでは、飲用装置の清掃が困難になる。したがって、本発明による解決策は、例えば、空気チャネルが本質的に短点でのみ先細になることを提供する。これにより、生産性が簡素化され、クリーニングが容易になる。
【００５５】
本発明による飲用装置の別の好ましい一実施形態は、本発明による飲用装置の芳香ユニットが使用前に活性化されなければならないことを意図する。その際、アロマは、最初に微視的又は巨視的にカプセル化できる。活性化は、例えば、温度又は機械的プロセスを変更することにより行われる。好ましい実施形態は、本質的に丸いアロマユニットが配置され、その内部が香味物質を含む流体を本質的に含む空気流動性フィルターを提供する。芳香ユニットのケーシングは、好ましくは、ゼラチン又はアガロースなどの材料からなり、そのため、不活性状態では、堅いケーシングが香味物質を含む流体を不揮発性状態に保つ。例えば、圧力下でケーシングを破壊することによる活性化により、流体は周囲のフィルターに放出される。このタイプの解決策は、例えば、タバコで使用するためにＵＳ２００４０２６１８０７Ａ１で提案されている。本発明によれば、好ましい一実施形態によれば、この技術は、本発明による飲用装置で使用される。これにはいくつかの利点がある。例えば、それにより、芳香物質を酸化プロセスから保護することができ、且つ包装材料を一般的に節約し、且つプラスチックシールを回避することができる。
【００５６】
本発明による飲用装置の別の好ましい実施形態は、空気チャネルが特別な形状のチャンバを包含することを意図する。これにより、飲用装置での飲用プロセスの終わりに発生する飲用液体の輸送チャネル内の圧力及び流れ状態の変動が、空気チャネル及び／又はアロマ容器内の飲用液体の侵入につながるという問題を解決する。このような液体の侵入、例えばアロマ容器への浸入は、芳香剤放出物質の望ましくない希釈又は衛生上の問題を引き起こす可能性がある。チャンバによる空気チャネルの中断は、飲用液体用の取り外し可能な輸送チャネルと空気チャネルの接触点で飲用装置のヘッド部分に凹部が提供されるように実行することができる。好ましい一実施形態において、アロマ容器から来る空気チャネルは、本質的に上部の位置でチャンバに通じている。実質的に反対側では、空気チャネルは、チャンバの実質的に低い位置で継続する。チャンバは、飲料液がアロマリザーバに戻るのを防ぐ。チャンバは、空気チャネルの連続の本質的に反対の位置により理想的に使用される。チャンバの内外への空気チャネルの入口開口部と出口開口部の高さ位置が異なるため、とりわけ、飲料装置への飲料液の排水が可能になる。飲用液体のためのヘッド部分と輸送チャネルとの間の接触点におけるチャンバの可能な配置により、2つのコンポーネントの分解後の洗浄が容易になる。
【００５７】
上記及び下記の技術的特徴のすべての好ましい実施形態及び組み合わせは、本発明による飲用装置からの通常の飲用中の空気チャネルを通る平均気流は、約２５０〜５５０ｍＬ／分が適切であることが一般的である。この空気の流れは、例えば、直径が約０．５〜２．５ｍｍの空気チャネル、又は空気チャネルの断面積が０．２ｍｍ２〜４．９ｍｍ２の非円形断面を使用する場合に実現される。他の方法でも、空気の流れは、例えば、空気チャネルの実質的にテーパ、空気チャネル及び/又はアロマ容器への液体の侵入を防ぐために、逆止弁としても設計できる弁によって、又は膜を使用することによって調整することもできる。実質的に透過性の膜は、例えば、空気チャネルの開口部で飲料用の輸送チャネルに取り付けることができる。それによって、空気の流れが適切なレベルに調整されるだけでなく、液体の流れに入る気泡も所望のサイズに調整される。このことは、飲酒者にとってより快適な飲み心地につながる。この時点で膜を使用する別の利点は、飲用プロセスの終了時の上記の圧力及び流動状態の変動が、空気チャネル及び/又はアロマ容器に入る飲料液をもたらさないか、又はこの瞬間又は別の瞬間にその量を減少させないことである。
【００５８】
本発明による飲用装置に関する別の問題は、輸送のために飲用装置全体を密封することである。その際、飲用開口部と圧力均等化チャネルだけでなく、飲用液体がアロマ容器に浸透するのを防ぐために、飲用装置の空気チャネルも密封する必要があることに留意する。その際、飲用装置のユーザは、１回の操作で３つの開口部すべてを閉じることができることが望ましいだろう。したがって、さらに好ましい一実施形態は、飲用装置が３つの開口部をすべて同時に閉じる蓋で密封されることを意図する。これは、好ましくは、３つの開口部（それぞれ）の少なくとも１つにピン／マンドレルを挿入すること、及び残りの開口部が従来のシステムによって密封されることによって可能になる。例えばその際、マンドレル／ピンは、飲用液体用の輸送チャネルにまで挿入することができる。したがって、飲料液用の輸送チャネルへの空気チャネルの開口部が密閉され、その結果、空気チャネル及び/又はアロマ容器への飲料液の浸透が防止される。このセクションの冒頭で説明したアロマリザーバの密閉の問題を解決する別の好ましい一実施形態は、アロマリザーバは、例えば、本質的にリング形状であり、例えば、取り外し可能なアロマ容器と空気チャネルとの間のフロー接続は、例えば、アロマ容器をひっくり返すなどの動きによって分離されることを意図する。この目的のために、逆さまに配置されたアロマ容器がアロマ容器側の空気チャネルの端部を閉じるように、例えば、アロマ容器の空気出口開口は、中心をずらして配置する必要がある。
【図面の簡単な説明】
【００５９】
本発明は、添付の概略図を参照して単に例として以下に説明される。
【図１】図１は、アロマ物質の鼻腔後吸収のための、本発明による飲用装置のマウスピース技術の第１の可能性を概略的に示す図である。
【図２】図２は、アロマ物質の鼻腔後吸収のための本発明による飲用装置の代替マウスピース技術を示す図である。
【図３ａ−３ｂ】図３ａ及び図３ｂは、本発明による飲用装置における旋回可能なマウスピースの使用を示す図である。
【図４ａ−４ｂ】図４ａ及び図４ｂは、開状態及び閉状態の圧力補償バルブを示す断面図である。
【図５】図５は、スライドバルブを概略的に示す図である。
【図６】図６は、飲料装置を密閉する回転蓋を備えた本発明による飲料装置の断面図を示す。
【図７】図７は、プルコックとして設計されたシールを備えた本発明による飲用装置を概略的に示している。
【図８】図８は、ユーザによる回転プラグの使用を模式的に示している。
【図９】図９は、風味付けされた空気を輸送するための飲用液体と空気チャネル用の個別の輸送チャネルを備えた統合バルブの機能を概略的に示している。
【図１０】図１０は、飲料液用の輸送チャネルと、直列に流れる香味付き空気を輸送するための空気チャネルとを備えた統合バルブの機能を概略的に示す図である。
【図１１ａ−１１ｂ】図１１ａ及び図１１ｂは、アロマ容器の位置による、飲料液用の輸送チャネル及び風味付けされた空気の輸送用の空気チャネルの封止を概略的に示す図である。
【図１２ａ−１２ｄ】図１２ａ、図１２ｂ、図１２ｃ、及び図１２ｄは、それぞれにヘッド部分を配置でき、飲料液の充填口と1つ又は複数のアロマ容器の受容空間(Aufnahme)のさまざまな配置が示されている、本発明による飲用装置の貯蔵容器の上面図を概略的に表す図である。
【図１３】図１３は、使用されているアロマ容器のラベル付けの方法を模式的に表す。
【図１４ａ−１４ｂ】図１４ａ及び１４ｂは、飲用装置に組み込まれたアロマミキサーの詳細図及び分解図を示す図である。
【図１５】図１５は、個々のアロマからなる全体的なアロマを個々に編集するためのアロマコンテナの使用を概略的に示している。
【図１６】図１６は、対応する形状の差込ホルダーへの挿入に適したアロマ容器を概略的に示す。
【図１７】図１７は、図１６に示されたアロマ容器の本発明による飲用装置への挿入を概略的に示す図である。
【図１８ａ−１８ｂ】図１８ａ及び図１８ｂは、単一のアロママウスピース並びに本発明による飲用装置上の１つのアロママウスピースを示す図である。
【図１９】図１９は、飲用器具に取り付け可能なアロママウスピースの概略断面図である。
【図２０ａ−２０ｂ】図２０ａ及び２０ｂは、本発明による飲用装置のヘッド部分上のアロマ容器の配置及びヘッド部分の使用を示す図である。
【図２１】図２１は、アロマリングを使用する本発明による飲用装置の概略断面図を示す。
【図２２】図２２は、アロマリングが個々のセグメントに分割された本発明による飲用装置の概略上面図を示す。
【図２３】図２３ａ、２３ｂ、及び２３ｃは、開いた飲用容器として設計された本発明による飲用装置の実施形態を示す。ここで、図２３ａは概略的な外観図である。図２３ｂは、図２３ａによる飲用装置の使用を概略的に示し、図２３ｃは、図２３ｂにおいてＡでマークされた詳細を拡大して示す。
【図２４ａ】図２４ａは、ボトルキャップとして従来の飲用ボトルと組み合わされた本発明による飲用装置を概略的に示す図である。
【図２４ｂ】図２４ｂは、ボトルキャップを拡大図で概略的に示す図である。
【図２５ａ−２５ｂ】図２５ａ及び図２５ｂは、ストローを使用する本発明による飲用装置並びに作用原理を示すためにストローの断面図を示す。
【図２６ａ−２６ｂ】図２６ａ及び図２６ｂは、ボトルの落下を可能にする、本発明による飲用装置のマウスピースを表す。
【図２７ａ−２７ｂ】図２７ａ及び２７ｂは、ヘッド部の液体チャネルの形状の本発明による変化を概略的に示す。
【図２８ａ−２８ｂ】図２８ａ及び２８ｂは、本発明による液体チャネルの幾何学的形状の変化を図式的にかつ例として示す。
【図２９】図２９は、空気チャネルの好ましい実施形態を概略的に示す。
【図３０ａ−３０ｂ】図３０ａ及び３０ｂは、好ましい実施形態を示しており、これは、分割可能なヘッド部分を概略的に及び例として含む。
【図３１】図３１は、内部アロマリザーバを備えた分割可能なヘッド部分の好ましい実施形態を示す。
【図３２ａ−３２ｃ】図３２ａ、３２ｂ、及び３２ｃは、フレグランスチャネルが液体チャネルに開口する点で形状が変化した、飲用装置のヘッド部分の異なる好ましい実施形態を示す。
【図３３ａ−３３ｂ】図３３ａ及び３３ｂは、空気チャネルへの液体の進入を防止する装置を含む飲用装置のヘッド部分の好ましい一実施形態を概略的に示す。
【発明を実施するための形態】
【００６０】
好ましい実施形態の説明
以下の実施形態では、同じ構成要素は同じ参照番号で示されている。
【００６１】
図１では、以下の実施形態において、純粋な飲料液で満たされた貯蔵容器（Vorratsbehaelter,リザーバ）１２とヘッド部分１４からなる飲用装置１０が概略的に示されている。本明細書では、純粋な飲用液体は、本発明による飲用システムによって追加される芳香を含まない飲用液体を意味すると常に理解される。ヘッド部分１４は、この場合、これはヘッド部分に一体化されるが、異なる実施形態に基づいて後に説明するように、別個に設けることもできるマウスピース１６を有する。ヘッド部分１４には、周囲空気への流れ接続部（図示せず）にあり、且つそこから芳香化された空気を輸送するための空気チャネル２２が通じるアロマ容器２０がある。さらに、この例示的な実施形態では、貯蔵容器１２内に存在する純粋な液体の中にストローのように延びる、飲料液用の輸送チャネル１８が設けられている。
【００６２】
図１による実施形態では、飲料液用の輸送チャネル１８と風味付けされた空気の輸送用の空気チャネル２２は直列に接続されている。すなわち、空気チャネル２２は、飲用液体の輸送チャネルに通じており、セクション１８ａは、結果として、マウスピース１６を介してユーザによって吸い込まれた純粋な液体と風味付けされた空気を含む気泡の両方を含む。
【００６３】
本発明による飲用装置１０を使用する場合、純粋な液体と風味付けされた空気の両方が経口摂取される。口腔内では、液相と気相が分離する。そして、ガス状の芳香化空気は、矢印Ａの方向に、鼻腔後経路２４を介して嗅粘膜２６に到達する。ここで、香りは、嗅覚粘膜にある受容体を介して検出され、感覚刺激の神経処理は、ユーザが飲んでいる純粋な液体（矢印Ｂ方向）が香りによって追加された味を持っているという印象をユーザに与える。
【００６４】
図１に示す解決策では、飲用中に、風味のある空気と純粋な液体ができるだけ短く接触するように、風味付けされた空気が、マウスピース１６でできるだけ直接、飲料液用の輸送チャネル１８に開くことが重要である。このようにして、空気と純粋な液体との間の芳香物質の望ましくない物質移動は最小限に抑えられるが、液体中の芳香の吸収を１００％排除することはできない。空気と液体の間の接触時間が短いほど、空気と液体の間の総界面が小さいほど、望ましくない物質移動が少なくなる。
【００６５】
望ましくない物質移動を可能な限り低く保つために、図２による配置が有利であることが証明された。ここで、飲料液用の輸送チャネル１８と風味付けされた空気を輸送するための空気チャネル２２は、互いに平行に配置されている。つまり、口端２８の前で混合はない。他の構成要素及び作用原理は、図１に概略的に示された実施形態によるものに完全に対応する。
【００６６】
図２に示される実施形態では、意図されたように使用されるとき、口端がユーザの口の中に少し伸びることがさらに示される。ただし、図２の描写では、明確にするために拡張部分が誇張されている。口端２８を口腔内に延ばす利点は、風味付けされた空気と純粋な液体との間の混合が可能な限り少ないことである。同様に、当然のことながら、意図したとおりに使用した場合、口端２８はユーザの唇の領域にあることも可能である。
【００６７】
図２に示す実施形態では、芳香化空気を輸送するための空気チャネル２２並びに飲料液のための輸送チャネル１８は、使用者の口の中に等しく遠くまで延びている。すなわち、輸送チャネル１８と空気チャネル２２は両方とも、口端２８の同じ点で終わる。輸送チャネル１８と空気チャネル２２の並列配置において、ただし、これは必ずしもそうである必要はなく、そして２つのチャネルのうちの１つは、他のチャネルよりもユーザの口の中まで届く距離が短くなる。したがって、２つのバリアントが考えられる。
【００６８】
第１の変形例によれば、空気チャネル２２は、飲用液体の輸送チャネル１８よりもさらに口腔内に延びている。図示されていないこの変形例では、ユーザは、ボトルのマウスピースを通して唇に直接飲む液体を吸収する感覚を持つ。しかし、風味付けされた空気は口の中にわずかに導入されるため、純粋な液体と非常に短時間しか接触しない。そのため、風味付けされた空気と純粋な液体との間の物質移動はほとんど排除される。さらに、純粋な液体と風味のある空気を飲用プロセス中にできるだけ均等に吸い込めるようにするため、個々のチャネルの形状と長さも技術的な理由によるものである可能性がある。
【００６９】
しかしながら、上記の変形例の代替として、飲用液体用の輸送チャネル１８のみが同様に使用者の口内にさらに延びることができ、一方、風味付けされた空気を輸送するための空気チャネル２２は、本発明による飲用装置から飲むときに使用者の唇の領域で終わる。この手段はまた、風味付けされた空気と飲用液体との間の接触時間を可能な限り短く保つのに役立ち、そしてユーザの喉の部分でアロマがすでに発達しているという利点もある。
【００７０】
本発明による飲用装置を有意義な方法で使用できるようにするために、一方では、飲用装置の保管中に芳香が望ましくない形で逃げないようにする必要があるが、すでに純粋な液体で満たされている飲用装置も漏れることがある。さらに、飲用装置は、飲料液用の貯蔵容器の内部と外気との間に空気チャネルをまだ持っている必要がある。前記空気チャネルは、圧力を均等化するのに役立ち、且つ飲用中に飲用装置から取り除かれた飲用液体の量に応じて、対応する量の空気を飲用装置に導入する。また、この空気チャネルには適切な遮断装置を設けて、飲用液が不必要に漏れないようにする必要がある。
【００７１】
一実施形態が図３ａ及び３ｂに示されている。ここで、マウスピースは、回転軸３０を中心に旋回可能に飲用装置１０に取り付けられ、図３ａに示す飲用位置と図３ｂに示す密閉位置との間で矢印Ｃの方向に前後に移動することができる。この目的のために、マウスピースには、飲用液体用の輸送チャネル１８の連続部１８ｂと、芳香化空気の輸送用の空気チャネル２２の連続部２２ｂが設けられている。これらは、図３ａに示される飲用位置でチャネル１８及び２２とのみ同列に並び、その結果、ユーザはマウスピース１６を通して飲料液及び風味付けされた空気を吸い込むことができる。図３ｂに示されるように、閉じた状態では、飲用装置１０とマウスピース１６との間に確実な接続があり、その結果、高品質の美的印象が作り出される。
【００７２】
図３ｂに概略的に示される実施形態から逸脱すると、封止状態において、輸送チャネル２２、１８の連続部２２ｂ及び１８ｂが外部に開かないように、マウスピース１６及び閉じた状態のマウスピースに設けられた受け形状を修正することも可能である。したがって、飲用デバイスが使用されない段階で、望ましくない物質が外部からマウスピース16に入り込むことがないようにする。
【００７３】
図４ａ及び４ｂは、圧力補償の目的で空気が流入するための空気チャネル３２用の補償弁の可能な実施形態を概略的に示している。その際、逆止弁が使用される。
【００７４】
そのような逆止弁は、一方で本発明による飲用装置の壁３６にしっかりと固定され、他方で図４ａに示すように、増加した外圧の影響下で変形して、空気が空気チャネル３２を通って矢印Ｄの方向に貯蔵容器の内部に流れ込むことができる密閉プレート３８を備えた、弾性コンポーネント３４からなることができる。図４ｂに示されているように、圧力均等化が確立されると、密閉プレート３８は、容器の内側から壁３６の近くに位置し、空気チャネル３２を閉じるため、図４ｂに示すように、外気は方向Ｅに沿って貯蔵容器１２の内部に流れ込むことができず、且つ同時に液体は空気チャネル３２を通って流れ出ることはできない。何らかの理由で貯蔵容器の内部の圧力が外気の圧力よりも高い場合、状況は図4bに示すようになり、容器の内部からの液体又は空気の望ましくない漏れが防止される。
【００７５】
図５に示される実施形態は、回転可能なマウスピースを使用する図３ａ及び３ｂに示される解決策の変形である。図５による実施形態では、マウスピース１６は、矢印Ｆの方向及び後方に変位可能であり、図５に示すように、飲用位置では飲用装置１０のヘッド部分１４から少し突出する。スライドとして設計されたマウスピース１６を移動できるようにするために、波形起伏の形態の把持補助具(Griffhilfe)（図示せず）を上側に適切な方法で設けることができる。図５による実施形態は非常に洗練された解決策である。なぜなら、飲用プロセスの後、マウスピース１６は、口端２８がヘッド部分１４の接触面と同一平面になるまで矢印Ｆ方向に移動し、これにより、飲用装置が開いた状態か閉じた状態かをユーザにすぐに示すからである。技術的には、図５による解決策は、最初に輸送チャネル１８及び２０を飲用装置の軸方向のマウスピースの方向に延長すること、及び図5に示すマウスピース16の押し出された位置でのみ輸送チャネル18及び20を、マウスピースに配置された輸送チャネル18及び22の連続部(Fortsetzungen)と位置合わせすることにより実装できる。これは、例えば、エキセントリックを使用することで実現でき、回転運動により開閉が可能になる。
【００７６】
図６において、本発明のさらなる一実施形態は、貯蔵容器１２にねじ込まれ、そしてその際、口端２８を、飲料液用の輸送チャネル１８と、芳香化空気を外部へ輸送するための空気チャネル２２とでしっかりと閉鎖する、回転蓋４０を使用して示されている。加えて、回転蓋４０はまた、貯蔵容器１２の本体を超えて延在することができる。蓋がねじ込まれると、均圧のための空気チャネルへの入口開口部（図６には示されていない）が同時に閉じられる。蓋の利点は、蓋が口端28を汚染から保護すること、及び蓋はねじ込み接続の耐圧性により、炭酸液体４２で満たされた飲用装置をしっかりと密封するのにも適していることである。
【００７７】
図７に示されたロック装置の変形例は、ヘッド部分１４に配置されたプルコック(Zughahn)４４を有する。ユーザがプルコックを矢印Ｇの方向に引き出すと、飲用のために飲用装置１０が開く。しっかりと密閉するために、プルコック４４は再びヘッド部の方向に矢印方向Ｇの反対方向に押す。プルコック４４として設計されたマウスピースの位置により、ユーザは、飲めるようにするためにボトルを傾ける必要がないことがわかる。例えば異なる色でのコーディング／マーキングにより、プルコックが引き出された位置にあり、飲用装置が密閉されていないことをユーザに明確に示すことができる。
【００７８】
図８に、回転プラグを使用するさらなる解決策を図８に概略的に示されている。回転プラグ４６は、密封装置としても、輸送チャネル１８を通る飲用液体の体積流量及び空気チャネル２２を通る芳香化空気の体積流量を絞るための絞り装置としても使用することができる。図８に概略的に示される回転プラグ４６は、飲用装置のヘッド部分に回転可能に配置され、ハンドホイール５０を作動させるユーザによって回転方向Ｈにユーザが動かすことができる。回転プラグ４６の一部は、ハウジング内に回転可能に案内され、その中に貫通開口部４８ａ及び４８ｂが配置されているシャフト５２である。図８に示される向きの貫通開口部４８ａ及び４８ｂは、飲用液体用の輸送チャネル１８及び風味付けされた空気用の輸送チャネル２０と同列に並ばない。しかし、開口部４８ａ及び４８ｂで矢印方向Ｈに約９０°だけ回転プラグ４６を作動させてシャフト５２を回転させると、開口部４８ａ及び４８ｂは、流路２２及び１８と位置合わせされ、その結果、フロー接続が開かれる。しかしながら、開口部４８ａ及び４８ｂは、開口部４８ａ及び４８ｂの開口部断面の一部のみが回転プラグの作動を介して空気及び液体の流れに利用できる位置にもたらすこともできる。このように、回転プラグはスロットルにも使用できる。
【００７９】
Ｘ字形に配置されたチャネルを備えた回転プラグ４６の代替の使用では、飲用液体と風味付けされた空気の比率を変えることができる。この目的のために、回転プラグの開口部４８ｂと飲料液を輸送するためのＸ字形チャネルは、それぞれ同じ流れ断面を有する一方、芳香化空気の輸送用のX字型チャネルは異なる流れ断面を有する。図８の詳細図に概略的に示されるように、開口部４８ａ及び隣接するチャネルは、開口部４８ｃ及び隣接するチャネルよりも大きな流れ断面を有する。その結果、ユーザは、回転プラグの回転位置を選択することにより、一方で、輸送チャネル18及び空気チャネル22を閉じることができ、他方で、飲料液用の輸送チャネル１８が開いているときに、空気チャネル２２に対して異なる流れ断面積を設定することができ、その結果、風味付けされた空気の量を絞ることができる。
【００８０】
回転プラグの利点は、フローを連続的に調整できることと、ロック装置の操作がすべてのユーザに対して直感的に把握されることである。
【００８１】
図示されていないさらなる一実施形態によれば、図７による実施形態と同様に、マウスピースが閉位置と開位置との間で軸方向に変位するスポーツバルブを設けることができる。飲料液用の輸送チャネル１８及び風味付けされた空気を輸送するための空気チャネル２２に加えて、マウスピースの作動は、圧力補償のために空気チャネル３２を同時に開閉することもできる。従来技術及び商業的に知られているスポーツ弁と同様に、飲用装置を飲用状態にするときにマウスピースを引き出し、そして、飲用装置をしっかり閉める場合は、それに応じて貯蔵容器に向かって押し戻す。しかしながら、スポーツバルブを備えた既知の飲用容器とは対照的に、飲用液体及び風味付けされた空気はユーザよって吸い込まれるため、飲用中に飲用装置をひっくり返す必要はない。
【００８２】
統合されたバルブの使用は、図９及び１０に示されている。図９は、芳香化空気の輸送用の別個に走行する空気チャネル２２と飲料液用の輸送チャネル１８とを備えた一体型バルブを示す一方、図１０では、図１に基づき概略的に示されたように、輸送チャネル１８及び２０が直列に接続されている。
【００８３】
図９を参照すると、飲用装置のマウスピース１６は、ヘッド部１４に対して矢印方向Ｊに引き出され、再び押し戻され得ることが明らかである。図９に示される引き出し状態では、輸送チャネル１８及び空気チャネル２２は、飲用装置から飲めるように開いている。同時に、空気チャネル３２も圧力均等化のために開いている。マウスピース１６がヘッド部１４にしっかりと接するまでマウスピース１６がヘッド部１４に向かって移動すると、エアダクト３２の開口部５４はマウスピース１６の開始点(Ansatz)５４で密閉される。ヘッド部に対するマウスピース１６のオフセットにより、加えて、ヘッド部からマウスピースへの流れの接続は、空気チャネル２２のマウスピース１６への進入点で中断され、その結果、空気チャネル２２は閉じられる。さらに、飲料液用の輸送チャネル１８も、矢印方向Ｋの動きによって閉じられる。その結果、図９に示される統合バルブの助けを借りて、飲料液用の輸送チャネル１８、芳香化空気の輸送用の空気チャネル２２、及び圧力均等化用の空気チャネル３２を同時に開閉することができる。その際、図９及び図１０に示された口端の領域におけるマウスピースの形状は、概略的にのみ示されており、そしてもちろんユーザにとって人間工学に基づいた任意の形状にすることができる。
【００８４】
マウスピース１６を閉位置にロックすることは、例えば、ロックニップル１５ａ、１７ａ及び対応する凹部１５ｂ、１７ｂの形態の形状適合要素(Formschlusselemente)によって達成することができる。
【００８５】
図１０による実施形態は、芳香化された空気を輸送するためのマウスピース１６の空気チャネル２２が口端２８に導かれるのではなく、マウスピースの領域で飲料液用の輸送チャネル１８に開口しているという点においてのみ、図９による実施形態と異なる。しかし、そうでなければ、図１０による実施形態は図９による実施形態と変わらないので、密封装置の動作原理に関しては、図９による実施形態を完全に参照することができる。
【００８６】
図１１ａ及び図１１ｂによる実施形態は、密封装置をアロマ容器２０に一体化する。アロマ容器は、アロマ容器２０内に設けられた飲用液体用の輸送チャネル１８の連続部１８ｂを、図１１ｂに示される飲用液体用の輸送チャネルのセクション１８ａ及び１８ｃとの整列した接続にするため、バネ５６の圧力に逆らって、矢印方向Ｌに指で押し付けられる。その際、輸送チャネル１８を介した液体接続は、ユーザが実際に外部から指でアロマ容器２０を押す場合にのみ存在すると考えられる。同様に、しかしながら、ボールペンのロック機能に匹敵するように、図１１ｂの二重矢印Ｌで示されるように、アロマ容器を再び押すと、それが図１１ａに示される開始位置に戻るように、ラッチング位置を設けることも可能である。
【００８７】
図示されていない代替実施形態によれば、しかしながら、図１１ａ及び１１ｂに示されている並進運動Ｌの代わりに、アロマ容器を回転させて、回転プラグを使用して図８に示す解決策に匹敵するロック位置と少なくとも１つの飲用位置との間で回転させることができるようにすることも可能である。さまざまな回転角度にわたって、いずれの場合も、異なる断面サイズのアロマ容器の別の開口部を、流れに関して空気チャネル２２に接続することができる。このようにして、風味付けされた空気の量、したがって味の強さを制御できた。例えば、「オフ」、「ミディアム」、「ストロング」の位置が考えられる。この場合、この実施例では、サイズの異なる２つの穴を持つアロマ容器が必要になる。実施例の第３の位置では、空気チャネル２２は閉じられ、したがって、液体は、空気を供給せず、芳香を追加せずに飲むことができた。このソリューションの利点は、アロマ容器もシールであるため、必要なコンポーネントの数が少ないことである。
【００８８】
図示されていないさらなる実施形態によれば、遮断装置は、圧搾装置を介して構成することもできる。この目的のために、密封されるチャネルの、例えば飲料液の輸送チャネルの、セクションには、例えば溝内で回転可能に配置されたホイールを介して一緒に圧迫されるフレキシブルホースが提供されなければならず、これにより、フロー接続が絞られるか中断される。シャットオフホイールと輸送チャネルで運ばれる物質との間に直接の接触がないため、技術的なソリューションは衛生要件を満たす。したがって、このソリューションは、例えば、輸液の輸送量を調整するために医療分野でも使用される。作動ホイールの大部分が飲用装置のヘッド部分に沈んでいる場合、この技術的解決策により低い構造を実現できる。
【００８９】
上記に示した実施形態では、単純化のためにそれぞれの場合に単一のアロマ容器のみが提供され、それは容器のヘッド部分に配置された。
【００９０】
すべての実施形態に共通することは、飲用装置は、例えば、飲用装置の底部に、使用中の芳香容器が使い果たされるか、消費者が風味の傾向を変更したいとすぐに、既存の芳香容器と交換できる、少なくとも１つのさらなるアロマ容器のためのさらなる収容形状があるように設計できることである。図１２ａ、１２ｂ、１２ｃ、及び１２ｄにおいてそれぞれ、中央に配置された回転接続部５８を介してヘッド部（図１２ａから１２ｄには示されていない）に回転可能に接続できる貯蔵容器１２の上面図を概略的に示す実施形態が示されている。平面図では、各貯蔵容器１２に液体を飲むための充填口６０があることがわかる。図１２ｂ及び１２ｃによる実施形態ではそれぞれ、単一のアロマ容器２０のみが提供されるのに対して、図１２ａ及び１２ｄによる実施形態ではそれぞれ、３つのアロマ容器２０が使用されているが、異なる数のアロマ容器も可能である。
【００９１】
アロマ容器２０に対応する容器６６は、図１３に見ることができる。図１３からも分かるように、アロマ容器２０には、アロマ容器２０が貯蔵容器１２の対応する容器６６にぴったりと挿入された後、アロマ容器２０を取り外すことができるマーキングタブ６２を設けることができる。さらに、マーキングタブ６２は、貯蔵容器１２の外側に延びるように配置することができ、したがって、使用されるアロマの傾向(Aromarichtung)に関する情報をユーザに提供することができる。
【００９２】
いくつかのアロマ容器が提供される場合、貯蔵容器１２の本体に対してヘッド部分（図１２ａから１２ｄ及び図１３には示されていない）を回転させることにより、個々のアロマ傾向の間で選択することが可能である。この目的のために、ヘッド部分には、対応するマーキング又はラッチ機構（図示せず）が設けられており、ユーザはこれを使用して、いくつかのアロマ容器の１つから飲料装置のマウスピースへの空気チャネル２２のフロー接続を確立できる。このようにして、飲みながら風味の傾向を変えることもできる。同様に、しかし、空気チャネル２２のいずれも連続的に接続されない位置にヘッド部分を標的配置することにより、純粋な飲料液も消費することができる。
【００９３】
図１４ａ及び図１４ｂに示す実施形態では、図１２ａから図１２ｄ及び図１３による実施形態とは対照的に、個々のアロマ間の混合物を生成することができる。この目的のために、貯蔵容器１２とマウスピース１６を備えたヘッド部１４との間に混合装置６４が配置されている。混合装置６４は、図１４ａによる例示的な実施形態では、アロマ容器２０用の３つの異なる受容空間を包含する。３つの異なる容器はそれぞれ、中間プレートとして設計された混合装置６４に挿入される。したがって、混合アロマは、さまざまなアロマ物質から生成することができる。混合アロマは、混合リング６８を介して吸い出され、ヘッド部１４の隣接する空気チャネル２２を介してマウスピースに供給される。
【００９４】
図１４ａ及び１４ｂに示される技術的解決策は、ユーザが独自の味の組み合わせを生成できるという利点がある。
【００９５】
代替設計が図１５に示されており、そこでは芳香容器２０は個々のセグメント２０ａ、２０ｂ、２０ｃに分割され、蓋７０の助けにより上部が閉じられている。ユーザは、個々のアロマを自由に編集できる。個々のアロマは、個々のセグメント２０ａ、２０ｂ及び２０ｃで使用され、そこから混合物が作られる
【００９６】
上記の説明で異なるアロマが言及された場合、同じ風味の傾向を含むが、味の強さが異なる個々のアロマもこの用語に該当する。
【００９７】
図１６による実施形態は、下側にばね５６を備えたアロマ容器２０を固定する可能性の概要を示している。本質的に円筒形のアロマ容器２０の周壁は、ここに示される芳香孔７２に加えて、互いに角度をなして配置された２つの部分を有する溝であるガイド７４を有する。第１のセクション７４ａは、円筒形アロマ容器の回転軸に平行に走る。他方、第２のセクション７４ｂは、第１のセクション７４ａに隣接し、且つ円周方向に端面７４ｃまで延びている。可能な関連する貯蔵容器１２が図１７に示されており、且つ図１２ｃに示される形状と類似性を有し、本質的に半円形セグメントの形状に形成された充填開口部６０と、図１６に示されたアロマ容器用の受容空間６６とを有する。ここで、配置及び設計された突起７６は、挿入時にガイド７４内で移動するように受容空間６６の周壁に配置されている。しかしながら、アロマ容器は、図１７に示す頭部を配置することにより固定されているため、図１７による貯蔵容器はまた、受容空間６６とアロマ容器２０との間の差込み接続が必要とされないように設計され得る。
【００９８】
したがって、アロマ容器が挿入されると、アロマ容器は、軸方向Ｌにおいて突起７６に対して正しい角度位置に最初に挿入される。ここで、突起７６は、ガイド７４の第１のセクション７４ａを通過し、及び次いで矢印方向Ｍに回転することにより受容空間６６に対して移動する。その結果、突起７６は、第２のセクション７４ｂ内でガイド７４内の停止面７４ｃまで延びるようになっている。突起７６が停止面７４ｃに当接するとすぐに、芳香孔７２は空気チャネルと流れ連通する。
【００９９】
図１８ａ、１８ｂ、及び図１９による実施形態では、図１９に最もよく示されているように、アロマ容器２０を直接挿入できる別個のマウスピース１６が示されている。このソリューションのアロマ容器は、交換する必要はない。なぜなら、アロマ容器を交換する代わりに、マウスピース自体を交換するからである。マウスピースをアロマ容器と交換することにより、衛生状態が改善され、加えて個々の部品の数も削減され、本発明による飲用装置の使用が簡素化される。マウスピースの飲用装置のヘッド部への取り付けについては、マウスピースと飲用装置のヘッド部との間に必要なシールが存在する限り、任意のソリューションを使用できる。
【０１００】
図２０ａ及び２０ｂによる概略的な実施形態は、本発明による飲用装置を示しており、これはハウジングが透明であるかのように示されている。飲用装置１０は再び貯蔵容器１２とヘッド部１４とからなる。この実施例ではロックナット付きのねじ付きボルトとして示されている、回転可能な接続部５８により、ヘッド部１４は、貯蔵容器に対して矢印方向Ｐに回転することができる。アロマ容器２０は、ヘッド部分に挿入され、芳香化空気を輸送するための空気チャネル２２は、飲料液のための輸送チャネル１８ｂに通じている。しかし、これはこの実施形態の理解には完全に無関係である。なぜなら、同じように、空気チャネル２２は、輸送チャネル１８ｂと平行に口端２８まで案内され得るからである。
【０１０１】
図２０ｂに示すように、ヘッド部１４が貯蔵容器１２に対して回転すると、飲用液体の輸送チャネルのセクション１８ａ及び１８ｂだけでなく、ヘッド部分に位置する空気チャネル３２も、空気チャネルセクション３２ｂとフロー接続することができる。したがって、飲用装置は、図２０ｂに示される構成で動作状態にある。貯蔵容器１２とヘッド部１４との間の分離面７８は、貯蔵容器１２の円筒形の外壁に対して垂直に延びておらず、それに対してある角度で配置されているため、図２０ａと比較して図２０ｂに示すように、ヘッド部分１４の位置は、密封された保管位置と飲用位置との間で変化する。このようにして、飲用装置が飲用位置にあるかどうかをユーザに知らせることができるだけでなく、飲用に可能な限り人間工学的な位置を作り出すこともできる。
【０１０２】
図２１及び図２２に示す本発明による飲用装置の実施形態では、マウスピース２８のすぐ近くのヘッド部分１４に配置されるアロマリングとして設計されたアロマ容器２０が使用される。図２１及び２２による例示的な実施形態では、口端２８には、単一の開口部、すなわち飲料液用の輸送チャネル１８のみがある。なぜなら、図２１に見られるように、空気チャネル２２は、口端の直前で開口しているからである。しかし、同じ方法で、アロマリングを使用する場合、飲料液用の輸送チャネル１８と、風味付けされた空気を輸送するための空気チャネル２２を、口端２８に平行に案内することも可能である。
【０１０３】
リング形状のアロマ容器２０は、異なるセグメント２０ａ、２０ｂ、２０ｃ、及び２０ｄに分割され、これらは異なるアロマ強度又はアロマ傾向を含むことができる。容器のヘッド部分１４のマーキング７８を介して、どのアロマチャンバが使用されているかをユーザに示している。マーキング７８が個々のチャンバ上のそれぞれのマーキング８０と位置合わせされていない場合、図２１及び図２２による実施形態では、アロマ容器と輸送チャネル１８との間の接続を遮断することもできるので、ユーザは、本発明によるシステムを介して風味付けされた飲料液を飲むことができない。アロマ容器は、ヘッド部分１４の対応する凹部に摩擦によってのみ挿入することができ、これにより、ユーザにとって特にシンプルで便利な処理を可能する。
【０１０４】
図２１及び図２２に示された実施形態とは異なり、分割されていないアロマリングを提供し、その結果、消費者にただ一つの風味の傾向を提供することももちろん可能である。チャンバの数に関係なく、ユーザが簡単に交換及び処理できることが有利である。いくつかの異なるタイプのアロマの場合、ユーザは飲用中にアロマを変更できるが、ユーザはまた、アロマが追加されず、芳香化された空気を輸送するための空気チャネル22も閉じられている位置にリングを持ち込むこともできる。その結果、気泡が水に入らないようになっているため、ユーザは異なる口当たりを得ることができる。
【０１０５】
図２３ａ、図２３ｂ、及び図２３ｃに示される実施形態は、上部が開いた飲用カップである飲用装置１０である。この実施形態では、アロマ容器２０は、貯蔵容器１２の外周を取り囲むリングとして示される。そしてリングは、図２３ｃに示されるように、芳香化空気を輸送するための短い空気チャネル２２を介して飲料液用の輸送チャネル１８に接続されるか、あるいは図２３ｃに示されないような、飲料液用の輸送ダクトと平行であり、且つ口端２８まで案内される空気チャネルを有する。飲用カップを使用する場合、図２３ｂに示されるように、飲料液は口端２８から吸い出され（図２３ａ参照）、それにより、図１に示されるように、気泡で芳香化された空気と混合された飲料液が吸い込まれる。ここでも、飲料液用の輸送チャネル１８と風味付けされた空気の輸送用の空気チャネル２２との並行誘導も考えられる。
【０１０６】
図２３ａに示される開放飲料容器の変形例は、開放飲料容器と同じ作用原理に従って機能し、そして例えば、例えばスピリッツ(Spirituose)にも使用できるショットグラスであり得る。スピリッツには追加のフレーバーを提供する必要がある。
【０１０７】
図２４ａ及び２４ｂには、本発明の別の一実施形態が示されている。この実施形態の特別な特徴は、貯蔵容器１２として機能する任意のボトルにヘッド部分１４をねじ込むことができることである。アロマ容器は、ヘッド部分１４に恒久的に取り付けられている。図示されていない空気チャネル２２を介したアロマ容器は、口端２８まで飲用液体のために風味付けされた空気を輸送チャネル１８に平行に輸送するか、あるいは図１の概略図に示されるように、口端２８の少し前に輸送チャネル１８に開口する。図２４ａ及び２４ｂによる実施形態では、純粋な飲料液を含む従来のボトルを使用することができ、これは、それに接続された吸引ホース８０でヘッド部１４を交換することにより所望に応じて再構成できる。この実施形態は、不十分な品質のために水道水が飲めない地域で特に有利である。そのため、消費者は飲料液として、ボトルアタッチメントを使用して任意の風味の傾向に変更できる純水を購入する。
【０１０８】
本発明の別の一実施形態が図２５ａ及び２５ｂに概略的に示されている。この実施形態では、本発明による飲用装置１０は、開放グラスとして設計された貯蔵容器１２と、貯蔵容器内に配置される飲用ストロー８２であって、飲用ストロー８２は、吸引ホース８０の、飲用液体用の輸送チャネル１８の、及び飲用ストローの周りにリング状に配置されたアロマ容器２０により、風味付き空気を輸送するための空気チャネル２２も兼ね備えている。飲用ストロー８２は、吸引ホース８０の、飲用液体用の輸送チャネル18の、及び飲用ストローの周りにリング状に配置されたアロマ容器20による、風味付けされた空気を輸送するための空気チャネル２２の、構成要素及び機能を兼ね備えた飲用ストロー８２とからなる。ボトルアタッチメントを使用する前述の例示的実施形態と同様に、飲用ストロー８２は任意の所望の貯蔵容器１２と組み合わせることができる。ここで、アロマ容器２０は、交換可能ではないが、飲用ストローにしっかりと接続されていることが好ましい。
【０１０９】
最後に、実施形態が図２６ａ及び図２６ｂに示されており、ここでは、図示されていない飲用装置１０の図示されたヘッド部分１２は、消費者が例えばスポーツバルブを使用した飲用装置から知っているように、飲用中に逆さまの位置に突っ込むことができる。図２６ａ及び２６ｂによる実施形態の特別な特徴は、吸引ホース８０もストロー８２も必要とされないことである。これらの要素がなければ、本発明によるドリンクシステムは衛生的に扱いやすい。さらに、この実施形態は、個々のコンポーネントの数を減らすことにより、製造が簡素化され、システムのアセンブリが短縮される。さらに、従来のシステムの消費者は、飲用ボトルを傾けるのに慣れている。図２６ａ及び図２６ｂに示すシステムにより、前述の例示的な実施形態とは対照的に、通常の取り扱いでは、貯蔵容器１２から偶発的に液体がこぼれることはない。図２６ａ及び２６ｂに示されるヘッド部１４は、示されるねじ山８４又は別の固定可能性を介して貯蔵容器１２に接続され得る。その場合、接続が液体の漏れを防止するように注意しなければならない。飲用装置１０の内側領域と外側領域との間の圧力均等化のために、例えば図４ａ及び図４ｂに示されるように、逆止弁８５を取り付けることができる。
【０１１０】
図２６ａに示される実施形態では、アロマ容器は、一例として幅の広いリング８３として示されており、その機能原理はアロマ容器２０に対応する。アロマデポは、空気チャネル２２を介して流動的に接続されている。スポーツ飲料ボトルの従来のマウスピースに対応し、本質的に柔軟な素材で作られている移動可能なマウスピース（ここでは図示せず）を開口部８６に押し込む必要がある。方向Ｋに移動することにより、マウスピース（図示せず）は飲用装置１０を開閉する。
【０１１１】
図２７ａ及び２７ｂにおいて、本発明による飲用装置の好ましい実施形態は、飲用装置のヘッド部１４内のマウスピース１６上の液体チャネル１８の変化とともに示されている。図２７ａに示すテーパ１９又は図２７ｂに示すマウスピース１６のチャネルの拡張部２３によって、液体と空気の混合物の圧力条件を変更できる。これにより、気泡の形状とサイズが変わり、より快適な飲み心地が生まれる。
【０１１２】
飲用装置１０の改良のさらに好ましい一実施形態が図２８ａ及び図２８ｂに示されている。本発明による改良の好ましい実施形態は、飲用装置１０の貯蔵容器１２内の液体チャネル１８は、テーパ状（図２８ａ−番号２１）又は拡張（図２８ｂ−番号２５）されていることを意図する。これにより、貯蔵容器１２の異なる充填レベルで一定又は変更された吸引圧力が可能になる。必要な吸引圧力は、液体の静水圧と液体チャネル18の壁での流体の摩擦損失によって本質的に引き起こされる。パスカルの法則によれば、その場合、静水圧は常に貯蔵容器１２の充填レベルに正比例し、且つ飲用者に使用される吸引圧力に著しく影響する。液体チャネル１８の幾何学的形状を変更することにより、この負の変化は部分的又は完全に補償され、従って飲用感を改善することができる。さらに、ここに示されていない本質的に幅が広く、及びしたがって平らな貯蔵容器を使用することにより、圧力差を減らすことができる。
【０１１３】
図２９に示される飲用装置１０のさらに好ましい一実施形態は、ヘッド部１４の空気チャネル２２が一点２７でのみテーパ状であり、それ以外の場合、空気チャネルはより広い断面を有することを意図する。これは、空気チャネル１４の必要な小さな断面、特に直径にもかかわらず、製造するのがより容易であり、掃除がより簡単になるという利点を有する。例えば、図２９に例として示される実施形態では、液体チャネル１８から空気チャネル２２に流れる液体は、液体チャネル１８に容易に戻ることができ、これは衛生的な利点をもたらす。
【０１１４】
別の好ましい一実施形態が図３０ａ及び３０ｂに概略的に示されている。ここでは、ヘッド部１４を本質的に軸対称に２つの部分１４ａ及び１４ｂに分割することができる解決策が例として示されている。両方の部分１４ａ、１４ｂはそれぞれ、内側に空気ダクト２２及び液体ダクト１８の一部を含む。空気チャネル２２及び液体チャネル１８は、２つの半分１４ａ、１４ｂが矢印Ｃの方向に一緒に接合されると、飲用装置に必要なチャネルを形成する。図３０ａ及び図３０ｂの好ましい実施形態では例としてリングとして示されている固定装置２９は、矢印方向Ｄへの変位により２つの部分１４ａ及び１４ｂ上に可逆的に一緒に保持することができる。図３０ｂでは、分割可能なヘッド部分１４が飲用位置で示されている。ここで、図示されていないアロマリザーバ２０の凹部６６も円筒形である。本質的に柔軟な材料からヘッド部１４を製造することにより、シーリングを達成することができる。
【０１１５】
分割可能なヘッド部分１４の別の好ましい一実施形態が図３１に示されている。その場合、アロマリザーバ２０用の凹部６６は、ヘッド部分でも可能である。ヘッド部分の内部への統合は、ヘッド部分が閉じられているとき、アロマリザーバ２０が外部から見えないということ、及びアロマリザーバは、とりわけ、より複雑にならないように設計する必要があること、及びアロマリザーバからのアロマ物質の揮発は、保管中に遅くなるという利点がある。アロマリザーバは、矢印方向Ｅに沿って２つの部分１４ａ及び１４ｂを結合することにより挿入される。ヘッド部分１４の２つの部分は、ここには示されていない機構によって一緒に保持される。
【０１１６】
本発明による飲用装置を最適化するためのさらなる一実施形態は、図３２ａ、３２ｂ及び３２ｃの例として示される。その場合、液体チャネル１８及び空気チャネル２２を含む飲用装置のヘッド部１４の好ましい一実施形態が図３２ａに示されている。図３２ａは、全長にわたって同じ形状の液体チャネルを示している。
【０１１７】
対照的に、図３２ｂは、飲用装置のヘッド部分１４の好ましい一実施形態を示し、液体チャネル１８と空気チャネル２２との接続点における液体チャネル１８は、他の点よりも小さい直径を有する。それにより、飲用装置が使用されるとき、液体チャネル１８内の液体の流れ状態を変える。テーパにより、動圧（動圧）は入口で最大になり、液体の静圧は最小になる。液体の量は変化しないため、くびれた部分を流れるときの断面の比率で液体の速度が増加する。同時に、最も狭い箇所に取り付けられている空気チャネル２２の圧力が低下する。これにより、液体中の芳香化した空気の吸収を防ぐ圧力差が生じる。その結果、ユーザは飲用装置をあまり吸わなくて済むため、飲用感が向上する。ベンチュリ効果として知られるこの効果は、飲用装置を大幅に改善する。
【０１１８】
さらに好ましい一実施形態は、図３２ｃに例として示されており、且つ、液体チャネル１８及び空気チャネル２２が飲用装置のヘッド部１４に配置されることを意図する。ここで、２つのチャネルの接続点において、２つのチャネルの少なくとも１つは、それぞれのチャネルの他の領域の断面と比較して拡大している。また、これにより、飲用装置のユーザは異なる飲用感を抱くことができる。
【０１１９】
ヘッド部１４のさらに好ましい一実施形態は、図３３ａ及び図３３ｂに例として示されており、且つ、空気チャネル２２が、液体チャネル１８の外壁上の凹部として本質的に設計されたチャンバ８７によって中断されることを意図する。チャンバ８７による空気チャネルの中断は、その場合、飲料液（液体チャネル）及び空気チャネル２２のための取り外し可能な立ち上がり配管１８の接触点で、飲料装置のヘッド部１４に凹部が提供されるように設計されている。示されている例示的な実施形態では、空気チャネル２２は、上方位置でアロマ容器２０からチャンバ８７に開口している。反対側では、空気チャネルは、チャンバ８７のより低い位置で輸送チャネル１８を通るチャネル２２ｂとして続く。このように設計されたチャンバを介して、飲料液がアロマリザーバ２０に逆戻りするのを防ぐ。空気チャネル２２の連続する反対の位置により、チャンバ８７は可能な限り最良の方法で使用される。チャンバ８７の内外にある空気チャネル２２の入口開口部及び出口開口部の異なる高い位置により、とりわけ飲料液が飲料液のために輸送チャネル１８に戻されることが可能になる。例えば本質的に弾性の材料で作ることができるヘッド部１４と飲料液用の輸送チャネル１８との間の接触点におけるチャンバ８７の配置は、構成要素が分解された後の洗浄を容易にする。加えて、図３３ａ及び３３ｂにおいて、空気供給ライン３２は、図示されていない飲料液用の貯蔵容器１２へのヘッド部１４を通って示されている。図３３ｂは、図３３ａによる飲用装置のヘッド部１４の実施形態を断面で示しており、これにより、空気チャネル２２ｂの連続における、チャンバ８７及び空気チャネル２２の入口点及びチャンバ８７からの出口点の位置が明確にされる。
【０１２０】
すべての実施形態に共通するのは、アロマが経口でのみ摂取されるため、前鼻腔性の嗅覚印象がないことである。芳香の経口吸収により、ユーザの味の印象は、もっぱら芳香物質の鼻腔後方知覚によって生じ、もしあったとしても、経腸経路を介して消費者によって無視できる量だけ吸収される。複雑なアロマとアロマ混合物も生成できる。これらは、飲料液の長期安定化を必要とせず、ユーザが飲み込むこともない。
【図１】
2020527522.tif 000003
【図２】
2020527522.tif 000004
【図３ａ】
2020527522.tif 000005
【図３ｂ】
2020527522.tif 000006
【図４ａ】
2020527522.tif 000007
【図４ｂ】
2020527522.tif 000008
【図５】
2020527522.tif 000009
【図６】
2020527522.tif 000010
【図７】
2020527522.tif 000011
【図８】
2020527522.tif 000012
【図９】
2020527522.tif 000013
【図１０】
2020527522.tif 000014
【図１１ａ】
2020527522.tif 000015
【図１１ｂ】
2020527522.tif 000016
【図１２ａ】
2020527522.tif 000017
【図１２ｂ】
2020527522.tif 000018
【図１２ｃ】
2020527522.tif 000019
【図１２ｄ】
2020527522.tif 000020
【図１３】
2020527522.tif 000021
【図１４ａ−１４ｂ】
2020527522.tif 000022
【図１５】
2020527522.tif 000023
【図１６】
2020527522.tif 000024
【図１７】
2020527522.tif 000025
【図１８ａ−１８ｂ】
2020527522.tif 000026
【図１９】
2020527522.tif 000027
【図２０ａ】
2020527522.tif 000028
【図２０ｂ】
2020527522.tif 000029
【図２１】
2020527522.tif 000030
【図２２】
2020527522.tif 000031
【図２３ａ】
2020527522.tif 000032
【図２３ｂ】
2020527522.tif 000033
【図２３ｃ】
2020527522.tif 000034
【図２４ａ】
2020527522.tif 000035
【図２４ｂ】
2020527522.tif 000036
【図２５ａ】
2020527522.tif 000037
【図２５ｂ】
2020527522.tif 000038
【図２６ａ−２６ｂ】
2020527522.tif 000039
【図２７ａ】
2020527522.tif 000040
【図２７ｂ】
2020527522.tif 000041
【図２８ａ】
2020527522.tif 000042
【図２８ｂ】
2020527522.tif 000043
【図２９】
2020527522.tif 000044
【図３０ａ】
2020527522.tif 000045
【図３０ｂ】
2020527522.tif 000046
【図３１】
2020527522.tif 000047
【図３２ａ】
2020527522.tif 000048
【図３２ｂ】
2020527522.tif 000049
【図３２ｃ】
2020527522.tif 000050
【図３３ａ】
2020527522.tif 000051
【図３３ｂ】
2020527522.tif 000052
【国際調査報告】
2020527522.tif 000053
2020527522.tif 000054
2020527522.tif 000055
2020527522.tif 000056